(57)【要約】【課題】調理の際に発生する上昇空気に含まれる熱エネルギーを、乾燥庫での乾燥に有効利用することができる乾燥庫付きレンジフードを提供する。【解決手段】乾燥庫付きレンジフード１０は、調理の際に発生する上昇空気Ｂを吸込んだのち排出するとともに熱交換器１１を有するレンジフード部８と、レンジフード部の横に付設された乾燥庫９とを備え、上昇空気中に含まれる熱を利用して熱交換器で温風Ｂ1を生成し、この温風を乾燥庫に直接供給する。【選択図】図２
2009109106.tif 000002
【特許請求の範囲】
【請求項１】
調理の際に発生する上昇空気を吸込んだのち排出するとともに熱交換器を有するレンジフード部と、このレンジフード部の横に付設された乾燥庫とを備え、
前記上昇空気中に含まれる熱を利用して前記熱交換器で温風を生成し、この温風を前記乾燥庫に直接供給するようにしたことを特徴とする乾燥庫付きレンジフード。
【請求項２】
請求項１に記載の乾燥庫付きレンジフードであって、
前記レンジフード部のフード本体部に設けられた吸気口から吸込まれた前記上昇空気は、前記フード本体部の内部の通気路を流れるとともに前記熱交換器を加熱したのちメインファンにより排出され、
前記熱交換器で生成された前記温風は、補助ファンにより前記乾燥庫の内部スペースに直接供給されることを特徴とする乾燥庫付きレンジフード。
【請求項３】
請求項１または２に記載の乾燥庫付きレンジフードあって、
前記乾燥庫は、下方が開口したケースと、このケースに昇降動作可能に取付けられて収納引き出し可能な昇降棚とを有し、この昇降棚には被収納物を出し入れ可能に収納できるようになっていることを特徴とする乾燥庫付きレンジフード。
【請求項４】
請求項１，２または３に記載の乾燥庫付きレンジフードであって、
前記レンジフード部には、前記上昇空気中に含まれる水分と油粒子と臭気とを除去するためのフィルタを設け、
前記通気路を流れ前記フィルタを通過した空気は、前記メインファンにより室内に排出されるようにしたことを特徴とする乾燥庫付きレンジフード。
【発明の詳細な説明】
【技術分野】
【０００１】
本発明は、台所に設置されるキッチンの上方に設置されるとともに、乾燥庫が付設された乾燥庫付きレンジフードに関する。
【背景技術】
【０００２】
ガスなどを使ってキッチンで調理を行うと加熱された上昇空気が発生するが、実際の煮炊きに使用される熱以外は大量に上昇空気に含まれて排気されるので熱効率が悪い。そのため、上昇空気に含まれている熱エネルギーを確保して再利用できれば、エネルギー効率がよくなる。
【０００３】
そこで、特許文献１（特開２００１−４１５２３号公報）には、調理器具から発生する熱エネルギーを無駄に捨ててしまうことなく再利用するためのレンジフードが提案されている。
一方、特許文献２（特開２００４−６９２０８号公報）には、厨房で発生した排熱を調湿装置の運転に利用するようにした調湿装置が提案されている。
【０００４】
【特許文献１】特開２００１−４１５２３号公報
【特許文献２】特開２００４−６９２０８号公報
【発明の開示】
【発明が解決しようとする課題】
【０００５】
特許文献１に記載のレンジフードと、特許文献２に記載の調湿装置に関する技術におけるレンジフードは、いずれもレンジフード自体で単体の機器を構成しているので、本発明のような、レンジフード部に乾燥庫が付設された乾燥庫付きレンジフードは開示されていない。
したがって、従来は、調理器具から発生する熱エネルギーを回収してこれを乾燥庫での乾燥に有効利用するという発想はなかった。
【０００６】
本発明は、このような課題を解決するためになされたもので、調理の際に発生する上昇空気に含まれる熱エネルギーを、乾燥庫での乾燥に有効利用することができる乾燥庫付きレンジフードを提供することを目的とする。
【課題を解決するための手段】
【０００７】
上述の目的を達成するため、本発明にかかる乾燥庫付きレンジフードは、調理の際に発生する上昇空気を吸込んだのち排出するとともに熱交換器を有するレンジフード部と、このレンジフード部の横に付設された乾燥庫とを備え、前記上昇空気中に含まれる熱を利用して前記熱交換器で温風を生成し、この温風を前記乾燥庫に直接供給するようにしている。
前記レンジフード部のフード本体部に設けられた吸気口から吸込まれた前記上昇空気は、前記フード本体部の内部の通気路を流れるとともに前記熱交換器を加熱したのちメインファンにより排出され、前記熱交換器で生成された前記温風は、補助ファンにより前記乾燥庫の内部スペースに直接供給されるのが好ましい。
前記乾燥庫は、下方が開口したケースと、このケースに昇降動作可能に取付けられて収納引き出し可能な昇降棚とを有し、この昇降棚には被収納物を出し入れ可能に収納できるようになっているのが好ましい。
他の好ましい実施態様として、前記レンジフード部には、前記上昇空気中に含まれる水分と油粒子と臭気とを除去するためのフィルタを設け、前記通気路を流れ前記フィルタを通過した空気は、前記メインファンにより室内に排出される。
【発明の効果】
【０００８】
本発明にかかる乾燥庫付きレンジフードは、上述のように構成したので、調理の際に発生する上昇空気に含まれる熱エネルギーを、乾燥庫での乾燥に有効利用することができる。
【発明を実施するための最良の形態】
【０００９】
下記の実施例にかかる乾燥庫付きレンジフードは、調理の際に発生する上昇空気を吸込んだのち排出するとともに熱交換器を有するレンジフード部と、このレンジフード部に付設された乾燥庫とを備え、上昇空気中に含まれる熱を利用して熱交換器で温風を生成し、この温風を乾燥庫に直接供給することにより、上昇空気に含まれる熱エネルギーを乾燥庫での乾燥に有効利用するという目的を実現している。
【００１０】
台所やダイニングルームなどに設置されるキッチン（たとえば、対面式のキッチン（システムキッチン）やセクショナルキッチン）に設けられて調理の際に温かい上昇空気を発生する調理器具（調理用の加熱器具）としては、コンロ（たとえば、ガスコンロ，その他のコンロ（ＩＨクッキングヒーター，ラジエントヒーターまたはシーズヒーターを用いたコンロ）），オーブンレンジ，スチームオーブン，トースター，フィッシュロースター，電子レンジ，炊飯器などがある。下記の実施例では、調理器具としてガスコンロを例にとって説明する。
【実施例】
【００１１】
以下、本発明にかかる実施例を図１ないし図６を参照して説明する。
図１ないし図５は本発明の実施例を示す図で、図１は、対面式キッチンと乾燥庫付きレンジフードが設置された台所の一部を示す斜視図、図２は、乾燥庫付きレンジフードの内部構造図、図３は、乾燥庫付きレンジフードの斜視図で、昇降棚が収納されている状態を示している。図４は、乾燥庫付きレンジフードの斜視図で、昇降棚が引き出された状態を示している。
なお、説明の便宜上、各図中の符号Ｄ1，Ｄ2，Ｄ3，Ｄ4で示す各方向を、それぞれ対面式キッチンおよび乾燥庫付きレンジフードの左方，右方，前方，後方とする。
【００１２】
図１に示すように、キッチンの一種である対面式キッチン１は、全体的に左右方向に延びた所定の形状（ここでは、矩形状）をなして、台所２またはダイニングルームに設置されている。
対面式キッチン１は、左右方向に延びた矩形状のキャビネット３と、キャビネット３の上部を覆って取付けられた天板部４とを有している。対面式キッチン１には、水栓装置５と、シンク６と、調理器具としてのガスコンロ７とが配置されている。
【００１３】
図１ないし図４に示すように、対面式キッチン１の上方には、レンジフード部８と乾燥庫９とを備えた乾燥庫付きレンジフード１０が設置されている。乾燥庫付きレンジフード１０において、レンジフード部８は、ガスコンロ７で調理を行う際に発生する上昇空気Ｂを吸込んだのち排出するとともに熱交換器１１を有している。乾燥庫９は、レンジフード部８の横（ここでは、左方向）に付設されている。
【００１４】
乾燥庫付きレンジフード１０は、上昇空気Ｂ中に含まれる熱を利用して熱交換器１１で温風Ｂ1を生成し、この温風Ｂ1を乾燥庫９に直接供給するようにしている。これにより、ガスコンロ７で調理を行う際に発生する上昇空気Ｂに含まれる熱エネルギーを、乾燥庫９での乾燥に有効利用することができる。
乾燥庫付きレンジフード１０では、レンジフード部８のフード本体部２０に設けられた吸気口２１から吸込まれた上昇空気Ｂは、フード本体部２０の内部の通気路２２を流れるとともに熱交換器１１を加熱した後、メインファン２３に吸込まれる。メインファン２３から吐出された排気Ｂ2は、室外（好ましくは、屋外）に排出される。
熱交換器１１で生成された温風Ｂ1は、補助ファン２４により乾燥庫９の内部スペース２５に直接供給される。
【００１５】
ユーザーがガスコンロ７を使用するときに、メインファン２３のスイッチをオンすればメインファン２３が運転を開始する。メインファン２３としては、シロッコファンを使用するのが好ましいが、他の構造のファンであってもよい。
なお、ガスコンロ７を使用するためにコンロ操作部７ａを操作したときに、その信号を乾燥庫付きレンジフード１０に出力して、メインファン２３が自動的に運転開始になるようにしてもよい。
補助ファン２４は、メインファン２３の運転，停止に従属して運転，停止を行うようになっている。なお、補助ファン２４を操作するための操作ボタンを別途設けて、乾燥庫９での乾燥を行うために温風Ｂを供給したいときのみ操作ボタンをオンして補助ファン２４を運転するようにすれば、節電になるので好ましい。
【００１６】
熱交換器１１は、フィンの付いたＵ字パイプまたはフィンの付いたボックスパネルであり、小型の補助ファン２４で対流を起こさせて乾燥庫９側に温風Ｂ1の熱エネルギーを引き込む構造を有している。
熱交換器１１では、通気路２２を流れる上昇空気Ｂと、交換器内部１２を流れる清浄な空気とのあいだで熱交換が行われる。補助ファン２４が運転されることにより、交換器内部１２には清浄な空気が供給されるようになっている。
熱交換器１１では、上昇空気Ｂの有する熱エネルギーが、交換器内部１２を流れる空気に伝達され、この空気が加熱されて温風Ｂ1になる。上昇空気Ｂは、ガスコンロ７で調理を行った際に発生するので、水分，油粒子，臭気などが含まれている。
熱交換器１１では、通気路２２を流れる上昇空気Ｂと、交換器内部１２を流れる空気（温風Ｂ1）は、仕切られており混合することはないので、温風Ｂ1には水分，油粒子，臭気などは含まれない。
【００１７】
乾燥庫９は、レンジフード部８の横に直接的に付設されている。温風Ｂ1は、補助ファン２４を介して熱交換器１１から乾燥庫９の内部スペース２５に直接流れる込むので、熱交換器１１で加熱された温風Ｂ1の有する熱エネルギーは、途中でロスすることなく内部スペース２５を加熱して被収納物２６を乾燥させる。
乾燥庫９は、下方が開口したケース２７と、このケース２７に昇降動作可能に取付けられて収納引き出し可能な昇降棚２８とを有し、昇降棚２８には、被収納物２６を出し入れ可能に収納できるようになっている。
これにより、被収納物２６を昇降棚２８に収納することができ、また昇降棚２８に載置されて収納されている状態の被収納物２６を、温風Ｂ1で乾燥することができる。また、昇降棚２８は昇降動作するので、収納状態では昇降棚２８が邪魔にならず（図３）、昇降棚２８を下方に引き出せば、昇降棚２８に対して被収納物２６を容易に出し入れすることができる（図４）。
【００１８】
昇降棚２８は、電動で昇降動作可能な電動昇降棚である場合を示しているが、手動で昇降させる手動式昇降棚であってもよい。
昇降棚２８は、被収納物２６を載せて収納するための一枚または複数枚の水切り棚２９を有している。昇降棚２８に収納される被収納物２６の種類としては、調理中に頻繁に使用されるもの、たとえば、食器類，布巾，まな板，箸類，お玉杓子，キッチンペーパー，小物類，食品類（粉物，パック類），お茶類，その他各種の物がある。
【００１９】
上述のようにして、乾燥庫９の内部スペース２５には、温風Ｂ1により熱エネルギーが供給されるので、内部スペース２５の温度が上昇して、収納されている被収納物２６が乾燥される。内部スペース２５に供給された温風Ｂ1は、昇降棚２８とケース２７とのあいだの隙間などを通って乾燥庫９の外部に流れ出る。
【００２０】
図５は、本実施例の変形例にかかる乾燥庫付きレンジフード１０ａの内部構造で、図２相当図、図６は、図５に示す乾燥庫付きレンジフード１０ａの斜視図で、図３相当図である。なお、前記実施例と同一または相当部分には同一符号を付してその説明を省略し、異なる部分のみ説明する。
図５，図６に示すように、乾燥庫付きレンジフード１０ａは、調理の際に発生する上昇空気Ｂを吸込んだのち排出するとともに熱交換器１１を有するレンジフード部８と、レンジフード部８の横に付設された乾燥庫９とを備え、上昇空気Ｂ中に含まれる熱を利用して熱交換器１１で温風Ｂ1を生成し、この温風Ｂ1を乾燥庫９に直接供給するようにしている。
【００２１】
レンジフード部８には、上昇空気Ｂ中に含まれる水分と油粒子と臭気とを除去するためのフィルタ１３が設けられている。通気路２２を流れフィルタ１３を通過した空気は、メインファン２３により室内（ここでは、台所またはダイニングルーム）に排気Ｂ2となって排出される。
このようにすれば、排気Ｂ2が含んでいる熱エネルギーをロスすることなく室内の暖房に有効に利用することができる。排気Ｂ2は、フィルタ１３で水分，油粒子，臭気が除去されて清浄なので室内の空気を汚す恐れはない。
フード本体部２０には排気口１４が形成され、この排気口１４から排気Ｂ2が室内に直接流れ出る。したがって、排気Ｂ2を室外や屋外に導くための配管工事やダクト工事が不要になり、乾燥庫付きレンジフード１０ａを、簡単な取付け工事で容易に設置することができる。
【００２２】
上述のように、本発明の乾燥庫付きレンジフード１０，１０ａでは、乾燥庫９を並設したレンジフード部８で、ガスコンロ７を使った煮炊きを行った際に発生する上昇空気Ｂに含まれる熱エネルギーを熱交換器１１で受け止めて、この熱エネルギーを乾燥庫９側へ誘導して乾燥庫９での乾燥に有効利用しており、これにより、乾燥庫９での乾燥機能を補助して高い省エネ効果を発揮することができる。
汎用の乾燥庫は、ヒーターなど熱源や、この熱源により加熱された温風を乾燥庫の内部スペースに供給するためのファンなどを有して、乾燥機能を発揮するようになっている。
これに対して、本発明の乾燥庫付きレンジフード１０，１０ａでは、上昇空気Ｂに含まれる熱エネルギーを、熱交換器１１で回収して乾燥庫９での乾燥に有効利用しているので、乾燥庫９自体には熱源やファンを設ける必要がなくなり、乾燥庫９の構成が簡略化する。
【００２３】
以上、本発明の実施例（変形例を含む。以下同じ）を説明したが、本発明は上述の実施例に限定されるものではなく、本発明の要旨の範囲で種々の変形，付加などが可能である。なお、各図中同一符号は同一または相当部分を示す。
【産業上の利用可能性】
【００２４】
本発明は、調理の際に発生する上昇空気を吸込んだのち排出するレンジフード部と、このレンジフード部の横に付設された乾燥庫とを備えた乾燥庫付きレンジフードに適用可能である。
【図面の簡単な説明】
【００２５】
【図１】図１ないし図６は本発明の実施例を示す図で、図１は、対面式キッチンと乾燥庫付きレンジフードが設置された台所の一部を示す斜視図である。
【図２】乾燥庫付きレンジフードの内部構造図である。
【図３】乾燥庫付きレンジフードの斜視図で、昇降棚が収納されている状態を示している。
【図４】乾燥庫付きレンジフードの斜視図で、昇降棚が引き出された状態を示している。
【図５】本実施例の変形例にかかる乾燥庫付きレンジフードの内部構造図で、図２相当図である。
【図６】図５に示す乾燥庫付きレンジフードの斜視図で、図３相当図である。
【符号の説明】
【００２６】
８      レンジフード部
９      乾燥庫
１０，１０ａ  乾燥庫付きレンジフード
１１    熱交換器
１３    フィルタ
２０    フード本体部
２１    吸気口
２２    通気路
２３    メインファン
２４    補助ファン
２５    内部スペース
２６    被収納物
２７    ケース
２８    昇降棚
Ｂ      上昇空気
Ｂ1     温風
【図１】
2009109106.tif 000003
【図２】
2009109106.tif 000004
【図３】
2009109106.tif 000005
【図４】
2009109106.tif 000006
【図５】
2009109106.tif 000007
【図６】
2009109106.tif 000008